(57)【要約】【課題】操作が簡単で、使用者による使い勝手が良好な情報通信機器及びその装置の情報作成方法を提供する。【解決手段】ＲＯＭ（記憶手段）５ｃは文書作成のための第１の選択肢と文書作成の中止を促す第２の選択肢とをカテゴリー毎に項目分け（グループ化）した状態にて記憶する。表示手段６はＲＯＭ５ｃに記憶された各選択肢を表示する。操作手段４は前記各選択肢を選択する。制御手段５は操作手段４からの所定入力によって前記項目毎の選択肢をＲＯＭ５ｃから順次読み出して表示手段６によって表示させるとともに、操作手段４からの所定入力によって前記各項目毎の前記選択肢を選択し、複数の前記第１の選択肢を合成させて第１の定型文書を作成する、もしくは前記第１の選択肢と前記前記第２の選択肢とを合成することで省略文書である第２の定型文書を作成する。【選択図】　図１
2004086425.tif 000002
【特許請求の範囲】
【請求項１】
文書作成のための第１の選択肢と文書作成の中止を促す第２の選択肢とをカテゴリー毎にグループ化した状態にて記憶した記憶手段と、
前記記憶手段に記憶された前記各選択肢を表示するための表示手段と、
前記各選択肢を選択するための操作手段と、
前記操作手段からの所定入力に基づいて、前記記憶手段に記憶されている第１，第２の選択肢を前記グループ毎に読み出すとともに前記表示手段に表示させ、複数の前記第１の選択肢を合成させて第１の定型文書を作成する、もしくは前記第１の選択肢と前記前記第２の選択肢とを合成することで省略文書である第２の定型文書を作成する制御手段と、
を備えてなることを特徴とする情報通信装置。
【請求項２】
前記第２の選択肢は、「あいさつ」、「伺い」、「状況の指示」に関する少なくとも１つのグループの後に続くグループに含まれてなることを特徴とする請求項１に記載の情報通信装置。
【請求項３】
文書作成のための第１の選択肢と文書作成の中止を促す第２の選択肢とをカテゴリー毎にグループ化した状態にて少なくとも記憶手段に記憶し、
操作手段による所定操作に基づいて、前記グループ毎に選択肢を前記記憶手段から読み出すとともに表示手段によって表示させ、前記操作手段を用いて選択した複数の前記第１の選択肢を合成させて第１の定型文書を作成する、もしくは前記操作手段を用いて選択した前記第１の選択肢と前記第２の選択肢とを合成することで省略文書である第２の定型文書を作成することを特徴とする情報作成方法。
【請求項４】
前記第２の選択肢は、「あいさつ」、「伺い」、「状況の指示」に関する少なくとも１つのグループの後に続くグループに含まれることを特徴とする請求項３に記載の情報作成方法。
【発明の詳細な説明】
【０００１】
【発明の属する技術分野】
本発明は、ナビゲーション装置や携帯電話，ＰＨＳ等の情報通信装置に関し、メール文書を作成及び送信することが可能な情報通信装置及び情報作成方法に関するものである。
【０００２】
【従来の技術】
情報通信装置としては、例えば、自車両の現在位置を把握し、目的地へのルートを案内するナビゲーション装置が知られている。このようなナビゲーション装置は、人工衛星位置決定システム（Ｇｌｏｂａｌ　Ｐｏｓｉｔｉｏｎｉｎｇ　Ｓｙｓｔｅｍ（ＧＰＳ））によって自車両の位置を把握するとともに、道路交通情報システム（Ｖｅｈｉｃｌｅ　Ｉｎｆｏｒｍａｔｉｏｎ　ａｎｄ　Ｃｏｍｍｕｎｉｃａｔｉｏｎ　Ｓｙｓｔｅｍ（ＶＩＣＳ））からの情報に基づいて自車両が走行するための走行ルート情報を車両の運転者に知らせるものである。また、最近では前記ナビゲーション装置に、高速道路等の有料道路における通行料金を人手を介することなく自動的に徴収する高速道路料金自動支払機能（Ｅｌｅｃｔｒｏｎｉｃ
Ｔｏｌｌ　Ｃｏｌｌｅｃｔｉｏｎ（ＥＴＣ））を備えるものがある。
【０００３】
また、これらの様々な情報を表示するナビゲーション装置としては、車両に搭載する専用のもので、７〜８インチの大型なＴＦＴ型液晶表示器を用いたものが普及しているが、最近では、ナビゲーション装置を自動車だけでなく、二輪車に取り付けたり、あるいは人が携帯できるサイズの携帯用のナビゲーション装置も開発されている。このような携帯できるナビゲーション装置にあっては、持ち運びの利便性を考慮し３〜５インチ程度の小さな表示器を備える小型化のものが主流である。
【０００４】
前述のナビゲーション装置は、携帯電話や簡易携帯電話（ＰＨＳ）等の携帯通信機器と接続し、電子メールの受信情報を表示器で表示させたり、あるいは電子メールの作成及び送信操作ができるものが提案されており、これについては、特開平１１−３３７３４８号公報や特開平１１−１０２１９８号公報等に開示されている。
【０００５】
【発明が解決しようとする課題】
このようなナビゲーション装置の殆どは、文字入力専用のキーボードを備えておらず、電子メール（メール文書）を作成する際に、操作ボタン等の操作手段によって表示器の画面に表示される文字表上をカーソル移動させて文字を一文字ずつ選択して漢字への変換作業を行ったり、また必要に応じてカナ，数字，記号等の切換え作業を行うために、煩雑な操作が必要となるばかりでなく、文章を作成するために長い時間を要してしまうといった問題点があった。
【０００６】
そこで、本発明は前記問題点に着目し、操作が簡単で、使用者による使い勝手が良好な情報通信装置及び情報作成方法を提供するものである。
【０００７】
【課題を解決するための手段】
本発明は、前記課題を解決するため、請求項１に記載したように、文書作成のための第１の選択肢と文書作成の中止を促す第２の選択肢とをカテゴリー毎にグループ化した状態にて記憶した記憶手段と、前記記憶手段に記憶された前記各選択肢を表示するための表示手段と、前記各選択肢を選択するための操作手段と、前記操作手段からの所定入力に基づいて、前記記憶手段に記憶されている第１，第２の選択肢を前記グループ毎に読み出すとともに前記表示手段に表示させ、複数の前記第１の選択肢を合成させて第１の定型文書を作成する、もしくは前記第１の選択肢と前記前記第２の選択肢とを合成することで省略文書である第２の定型文書を作成する制御手段と、を備えてなることを特徴とするものである。
【０００８】
また、請求項２に記載したように、請求項１に記載の情報通信装置において、前記第２の選択肢は、「あいさつ」、「伺い」、「状況の指示」に関する少なくとも１つのグループの後に続くグループに含まれてなることを特徴とするものである。
【０００９】
また、本発明の情報作成方法は、請求項３に記載したように、文書作成のための第１の選択肢と文書作成の中止を促す第２の選択肢とをカテゴリー毎にグループ化した状態にて少なくとも記憶手段に記憶し、操作手段による所定操作に基づいて、前記グループ毎に選択肢を前記記憶手段から読み出すとともに表示手段によって表示させ、前記操作手段を用いて選択した複数の前記第１の選択肢を合成させて第１の定型文書を作成する、もしくは前記操作手段を用いて選択した前記第１の選択肢と前記第２の選択肢とを合成することで省略文書である第２の定型文書を作成することことを特徴とするものである。
【００１０】
また、請求項４に記載したように、請求項３に記載の情報作成方法において、前記第２の選択肢は、「あいさつ」、「伺い」、「状況の指示」に関する少なくとも１つのグループの後に続くグループに含まれることを特徴とするものである。
【００１１】
【発明の実施の形態】
以下、本発明の実施形態を添付図面に基づき説明する。尚、以下に示す情報通信装置としては、ＶＩＣＳや電子メール等の情報を送受信する機能を備えた複合機能を有するナビゲーション装置を例に挙げて説明する。
【００１２】
図１から図３を用いてナビゲーション装置の全体構成について説明する。ナビゲーション装置Ａは、ＧＰＳ電波受信部１と、ＶＩＣＳ電波受信部２と、送受信手段３と、操作手段４と、制御手段５と、表示手段６と、音声手段７とから主に構成されている。
【００１３】
ＧＰＳ電波受信部１は、ＧＰＳ用受信アンテナを備え、前記受信アンテナで受信した人工衛星からの位置情報である送信電波を高周波信号として増幅して制御手段５に供給する。
【００１４】
ＶＩＣＳ電波受信部２は、ＶＩＣＳ用の受信アンテナ及び受光部を備え、前記受信アンテナで受信したＶＩＣＳセンターからの走行ルート情報である送信電波及び前記受光部で受信したＶＩＣＳセンターからの走行ルート情報である送信電波を増幅して制御手段５に供給する。
【００１５】
送受信手段３は、モデムを有し、前記モデムに携帯電話やＰＨＳ等の電気通信回線を介して交信する携帯通信機器（交信手段）が接続される。また送受信手段３は、メール処理部を有し、前記メール処理部によって受信したテキストデータやバイナリーデータ等からなる文字情報（文書データ）の復調処理（差出人のアドレスデータ，発信日時データ，タイトルデータ及び本文データ等の生成）を行って、復調した前記テキストデータを制御手段５に供給する。
【００１６】
操作手段４は、ルート検索やルート検索情報等の各種情報を表示手段６によって表示させたり、表示手段６による文字情報である文書の表示、あるいは音声出力手段７ｂにより前記文書の音声出力の実行の際に用いられる。また、操作手段４は、後述する所定操作を行うために複数の押しボタンスイッチを備えた操作部を有し、ワイヤレスリモコンや有線式操作スイッチ群によって構成される。
【００１７】
図２は、操作手段４の一例を示すものである。操作手段４は、文字情報であるメール文書（後で詳述する）の作成時において、後述する項目や選択肢に指示位置となるカーソルを移動させるための左スイッチ４ａ，右スイッチ４ｂ，上スイッチ４ｃ，下スイッチ４ｄと、前記カーソルが指示するカテゴリや選択肢を決定する決定スイッチ４ｅとが備えられている。
【００１８】
制御手段５は、マイクロコンピュータから構成され、図３に示すようにＣＰＵ５ａ，ＲＡＭ５ｂ，ＲＯＭ（記憶手段）５ｃ，記憶部５ｄ及び入出力（Ｉ／Ｏ）インターフェイス回路５ｅを有し、前記各部はバス５ｆによって接続されている。制御手段５におけるＣＰＵ５ａは、ＧＰＳ電波受信部１によって受信した位置データを入出力インターフェイス５ｅを介して入力し、この位置データと、ＣＤ−ＲＯＭ，ＤＶＤ−ＲＯＭあるいはハードディスク等からなる記憶部５ｄに記憶されている地図データ、あるいはメインサーバから随時ダウンロードされる地図データとをＣＰＵ５ａによってマップマッチングして、表示手段６に表示する地図上に自車両の位置を表示させたり、またメール文書の作成，着信及び送信の際に表示手段６及び音声出力手段７を制御するものである。尚、ＲＯＭ５ｃは、前記メール文書の作成用プログラム、後述する各項目，前記各項目に対応した選択肢、表示手段６によって表示される複数の表示画面等が記憶されている。
【００１９】
表示手段６は、地図データを表示させたり、あるいは前記メール文書を表示させるためのグラフィックコントローラ等の駆動手段６ａと、マトリクス型の液晶表示素子や有機ＥＬ素子からなる表示部６ｂを有し、制御手段５からの指示信号の基に後述する表示画面を表示する。
【００２０】
音声手段７は、文字情報（文書）を音声データに変換する音声変換手段７ａと、スピーカからなる音声出力手段７ｂとからなり、音声出力手段７ｂは専用に用意しても良いし、カーオーディオ等のスピーカ等と兼用することもできる。
【００２１】
以上の各部によってナビゲーション装置Ａが構成される。
【００２２】
次に図４から図６を用いて、制御手段５におけるメール文書の作成の際の処理動作について詳述する。制御手段５におけるＲＯＭ５ｃには、文書作成のための第１の選択肢と、文書作成の中止を促す第２の選択肢とがカテゴリー毎に項目（グループ）分けされた状態にて記憶されている。
【００２３】
図４は、通常時の定型文書（メール文書）の一例を表すものである。ＲＯＭ５ｃには、文書作成のための第１の選択肢１０ａ〜１０ｃ，１２ａ〜１２ｃ，１３ａ〜１３ｅからなる第１の項目１０，第３の項目１２，第４の項目１３と、文書作成のための第１の選択肢１１ａ〜１１ｄ及び文書作成の中止を促す第２の選択肢１１ｅからなる第２の項目１１とが、「あいさつ」、「待ち合わせ／日程」、「場所」、「どうする」といったカテゴリー毎の各項目に分かれた状態にて記憶されている。
【００２４】
制御手段５は、操作手段４による所定入力によってメール文書の作成機能に移行し、操作手段４からの所定入力によって「あいさつ」なるカテゴリーの第１の項目１０が選択されたと認識すると、第１の項目１０の「おはよう」、「こんにちは。」、「こんばんは。」からなる各第１の選択肢１０ａ，１０ｂ，１０ｃをＲＯＭ５ｃから読み出すとともに表示手段６によって表示させる。次に制御手段５は、操作手段４による所定入力によって「こんばんは。」なる第１の選択肢１０ｃが選択されたと認識すると、「待ち合わせ／日程」なるカテゴリーの第２の項目１１における「今」、「今日の」、「明日の」、「昨日は」からなる各第１の選択肢１１ａ，１１ｂ，１１ｃ，１１ｄ、及び「ＥＮＤ」からなる第２の選択肢１１ｅをＲＯＭ５ｃから読み出すとともに表示手段６によって表示させる。そして制御手段５は、操作手段４による所定入力によって、「今日の」なる第１の選択肢１１ｂが選択されたと認識すると、「場所」なるカテゴリーの第３の項目１２における「待ち合わせ」、「集合場所」、「あつまり」からなる各第１の選択肢１２ａ，１２ｂ，１２ｃをＲＯＭ５ｃから読み出すとともに表示手段６によって表示させ、「待ち合わせ」なる第１の選択肢１２ａが操作手段４の所定入力によって選択されたと認識すると、「どうする」なるカテゴリーの第４の項目１３における「おくれないで！」、「遅れます。」、「変更します。」、「ＯＫです。」、「ＮＧです。」からなる各第１の選択肢１３ａ，１３ｂ，１３ｃ，１３ｄ，１３ｅをＲＯＭ５ｃから読み出すとともに表示手段６によって表示させ、「遅れます。」なる第１の選択肢１３ｂが操作手段４の所定入力によって選択されたと認識すると、図６（ａ）で示すような「こんばんは。今日の待ち合わせ遅れます。」なる定型文書（第１の定型文書）ｍ１を作成する。
【００２５】
即ち、制御手段５は、第１の項目１０〜第４の項目１３における各選択肢をＲＯＭ５ｃからそれぞれ読み出して表示手段６によって表示させ、操作手段４からの所定入力によって各項目１０〜１３における選択肢の内の何れか第１の選択肢１０ｃ，１１ｂ，１２ｂ，１３ｂを合成することで定型文書ｍ１を作成するものである。
【００２６】
図５は省略された定型文書の一例を示すもので、ここで示す文書は、制御手段５に送受信手段３を介して単文からなるメール文書が受信され、この受信した電子メールに対して単文なる定型文書を返信する場合のものである。
【００２７】
制御手段５は、送受信手段３を介して電子メールを受信し、その後に操作手段４による所定入力によって返信文書作成機能に移行し、操作手段４による所定入力によって「あいさつ」なる第１の項目１０が選択されたと認識すると、第１の項目１０の「おはよう」、「こんにちは。」、「こんばんは。」からなる各第１の選択肢１０ａ，１０ｂ，１０ｃをＲＯＭ５ｃから読み出すとともに表示手段６によって表示させる。次に制御手段５は、操作手段４による所定入力によって「こんばんは。」なる第１の選択肢１０ｃが選択されたと認識すると、「待ち合わせ／日程」なる第２の項目１１における「今」、「今日の」、「明日の」、「昨日は」からなる各第１の選択肢１１ａ，１１ｂ，１１ｃ，１１ｄ、及び「ＥＮＤ」からなる第２の選択肢１１ｅをＲＯＭ５ｃから読み出すとともに表示手段６によって表示させる。そして制御手段５は、操作手段４による所定入力によって、「ＥＮＤ」なる第２の選択肢１１ｅが選択されたと認識すると、図６（ｂ）で示すような「こんばんは。」なる省略文書である定型文書（第２の定型文書）ｍ２を作成する。
【００２８】
即ち、制御手段５は、操作手段４からの所定入力によって第１の項目１０の第１の選択肢１０ｂと第１の項目１０の後に続く第２の項目１１の第２の選択肢１１ｅとを合成することで省略文書である定型文書ｍ２を作成するものである。
【００２９】
かかるナビゲーション装置Ａは、文書作成のための第１の選択肢１０ａ〜１０ｃ，１１ａ〜１１ｄ，１２ａ〜１２ｃ，１３ａ〜１３ｅと文書作成の中止を促す第２の選択肢１１ｅとをカテゴリー毎に項目分けした状態にて記憶したＲＯＭ５ｃと、ＲＯＭ５ｃに記憶された各選択肢１０ａ〜１０ｃ，１１ａ〜１１ｅ，１２ａ〜１２ｃ，１３ａ〜１３ｅを表示するための表示手段６と、各選択肢１０ａ〜１０ｃ，１１ａ〜１１ｅ，１２ａ〜１２ｃ，１３ａ〜１３ｅを選択するための操作手段４と、操作手段４からの所定入力によって各選択肢１０ａ〜１０ｃ，１１ａ〜１１ｅ，１２ａ〜１２ｃ，１３ａ〜１３ｅを第１〜第４の項目１０，１１，１２，１３毎に順次ＲＯＭ５ｃから読み出して表示手段６によって表示させるとともに、操作手段４からの所定入力によって各項目１０，１１，１２，１３毎の選択肢１０ｃ，１１ｂ，１２ａ，１３ｂを選択し、複数の第１の選択肢１０ｃ，１１ｂ，１２ａ，１３ｂを合成させて定型文書ｍ１を作成する、もしくは第１の選択肢１０ｂと第２の選択肢１１ｅとを合成することで省略文書である定型文書２１を作成する制御手段５とを備えるものである。
【００３０】
また、ナビゲーション装置Ａの情報作成方法は、文書作成のための第１の選択肢１０ａ〜１０ｃ，１１ａ〜１１ｄ，１２ａ〜１２ｃ，１３ａ〜１３ｅと文書作成の中止を促す第２の選択肢１１ｅとをカテゴリー毎に項目分けした状態にてＲＯＭ５ｃに記憶し、操作手段４による所定操作によってＲＯＭ５ｃに記憶された各選択肢１０ａ〜１０ｃ，１１ａ〜１１ｅ，１２ａ〜１２ｃ，１３ａ〜１３ｅを第１〜第４の項目１０，１１，１２，１３毎に順次読み出して表示手段６によって表示させるとともに、操作手段４からの所定入力によって前記各項目１０，１１，１２，１３毎の前記各選択肢１０ｃ，１１ｂ，１２ａ，１３ｂを選択し、複数の前記第１の選択肢１０ｃ，１１ｂ，１２ａ，１３ｂを合成させて定型文書２０を作成する、もしくは第１の選択肢１０ｂと第２の選択肢１１ｅとを合成することで省略文書である定型文書ｍ２を作成してなるものである。
【００３１】
従って、従来のように一文字ずつ入力するのではなく、操作手段４による少ない選択操作で素早くメール文書を作成できるため、使用者による使い勝手が良好な情報通信機器を提供することが可能となる。
【００３２】
また、文書作成の中止を促す第２の選択肢１１ｅと文書作成のための第１の選択肢１０ｂとを合成することで省略文書である定型文書２１を作成するものであり、単文からなるショートメールによってメールのやり取りを行う場合において、素早くメール文書を作成することが可能となる。
【００３３】
次に、図７を用いて本発明の他の実施形態について説明する。図７は、文書作成の中止を促す第２の選択肢によって省略文書を作成する一例を示しており、図７は、「ご機嫌伺い（伺い）」なるカテゴリーの項目の後に続く項目に第２の選択肢が設けられるものである。
【００３４】
具体的に説明すると、図７において、制御手段５は、操作手段４による所定入力によってメール文書の作成機能に移行し、操作手段４による所定入力によって「あいさつ」なるカテゴリーの第１の項目２０が選択されたと認識すると、第１の項目２０の「おはよう」、「こんにちは。」、「こんばんは。」からなる各第１の選択肢２０ａ，２０ｂ，２０ｃをＲＯＭ５ｃから読み出すとともに表示手段６によって表示させ、操作手段４による所定入力によって「こんにちは。」なる第１の選択肢２０ｂが選択されたと認識すると、「ご機嫌伺い」なるカテゴリーの第２の項目２１における「調子はどう？」、「ご機嫌いかが？」、「どこにいるの？」、「なにしてるの？」からなる各第１の選択肢２１ａ，２１ｂ，２１ｃ，１１ｄをＲＯＭ５ｃから読み出すとともに表示手段６によって表示させる。そして制御手段５は、操作手段４による所定入力によって、「なにしてるの？」なる第１の選択肢２１ｄが選択されたと認識すると、「どうする」なるカテゴリーの第３の項目２２における「合わない」、「遊ばない」、「映画みない」、「飲みに行かない」からなる各第１の選択肢２２ａ，２２ｂ，２２ｃ，２２ｄと、「ＥＮＤ」からなる第２の選択肢１１ｅとをＲＯＭ５ｃから読み出すとともに表示手段６によって表示させ、操作手段４による所定入力によって「ＥＮＤ」なる第２の選択肢２２ｅが選択されたと認識すると、「こんにちは。何してるの。」なる省略文書である定型文書を得るものである。
【００３５】
尚、文書作成の中止を促す第２の選択肢が含まれる項目としては、前述した以外に「状況の指示」なるカテゴリーの項目の後に続く項目に含まれるものであり、例えば「この先」→「工事中（状況の指示）」→「ＥＮＤ」の第１，第２の選択肢が操作手段４によって選択されることによって、「この先、工事中」なる省略文書である定型文書が表示手段６によって表示される。
【００３６】
かかるナビゲーション装置Ａは、「あいさつ」、「伺い」、「状況の指示」に関する項目（１０，２１）の後に続く項目（１１，２２）に文書作成の中止を促す第２の選択肢を含むようにするものであり、文書が途中で終わっていても意味の通じる省略文書を素早く作成し、かつ送信することが可能となる。
【００３７】
尚、本発明の実施の形態では、ナビゲーション装置Ａを例に挙げて説明したが、携帯電話やＰＨＳ等の情報通信機器からなる情報通信装置にも有効であり、本発明の用途について前述した実施の形態に限定されるものではない。
【００３８】
また、本発明の実施の形態では、操作手段４及び表示手段６とを別々に構成するものであったが、本発明にあっては、例えば、表示部と操作部とが一体に設けられたタッチパネルにて構成するものであっても良い。
【００３９】
【発明の効果】
本発明は、ナビゲーション装置や携帯電話，ＰＨＳ等の情報通信装置に関し、操作が簡単で、使用者による使い勝手が良好な情報通信装置及び情報作成方法を得ることができる。
【図面の簡単な説明】
【図１】本発明の実施の形態のナビゲーション装置を示すブロック図。
【図２】同上ナビゲーション装置の操作手段を示す図。
【図３】同上ナビゲーション装置の制御手段を示すブロック図。
【図４】同上ナビゲーション装置の定型文書の作成方法を示す図。
【図５】同上ナビゲーション装置の定型文書の作成方法を示す図。
【図６】同上ナビゲーション装置の表示手段による定型文書が表示された状態を示す図。
【図７】本発明の他の実施形態の定型文書の作成方法を示す図。
【符号の説明】
Ａ　　ナビゲーション装置（情報通信装置）
３　　メール送受信部（送信手段）
４　　操作手段
５　　制御手段
６　　表示手段
７　　音声手段
１０〜１３　第１〜第４の項目（グループ）
２０〜２２　第１〜第３の項目（グループ）
１０ａ〜１０ｃ　第１の選択肢
１１ａ〜１１ｄ　第１の選択肢
１２ａ〜１２ｃ　第１の選択肢
１３ａ〜１３ｅ　第１の選択肢
１１ｅ　第２の選択肢
２０ａ〜２０ｃ　第１の選択肢
２１ａ〜２１ｄ　第１の選択肢
２２ａ〜２２ｄ　第１の選択肢
２２ｅ　第２の選択肢
ｍ１　定型文書（第１の定型文書）
ｍ２　定型文書（第２の定型文書）
【図１】
2004086425.tif 000003
【図２】
2004086425.tif 000004
【図３】
2004086425.tif 000005
【図４】
2004086425.tif 000006
【図５】
2004086425.tif 000007
【図６】
2004086425.tif 000008
【図７】
2004086425.tif 000009